(57)【要約】【課題】天井の照明装置に代わる照明装置を簡便な構成で備える。【解決手段】写真プリントシステム１０は、利用者１３ａ・１３ｂの撮影を行う撮影装置１２と、撮影空間１６内を照明する照明装置１４と、撮影に基づいて画像を作成してプリント紙に出力する画像出力装置４１とを備えている。撮影装置１２および照明装置１４は、本体装置１１に配備されている。さらに、本体装置１１には、近辺の撮影空間１６への光の拡散を抑え、かつ遠方の撮影空間１６を照射する指向性照明装置１７が配備される。【選択図】　図１
2004126235.tif 000002
【特許請求の範囲】
【請求項１】
被写体の撮影を行う撮影手段と、該撮影を行う空間である撮影空間内を照明する照明手段と、上記撮影に基づいて画像を作成してプリント紙に出力する画像出力手段とを備える写真プリントシステムにおいて、
上記撮影手段および上記照明手段が配備される本体装置を備えており、
該本体装置は、上記撮影空間において上記照明手段からの距離が近い領域への光の拡散を抑え、かつ上記距離が遠い領域への光の照射を行う遠方照射手段を備えることを特徴とする写真プリントシステム。
【請求項２】
上記本体装置の上記照明手段および上記遠方照射手段は、同じ光源を利用していることを特徴とする請求項１に記載の写真プリントシステム。
【請求項３】
上記遠方照射手段は、照射方向および拡散の程度の一方または両方を調整する指向性調整手段を備えることを特徴とする請求項１に記載の写真プリントシステム。
【請求項４】
上記遠方照射手段は、上記本体装置の上部に設けられており、
上記指向性調整手段は、上下方向の光の拡散を抑えるものであることを特徴とする請求項３に記載の写真プリントシステム。
【請求項５】
上記撮影によって作成された撮影画像に対して、利用者による編集処理が行なわれる画像編集手段をさらに備えており、
上記プリント紙に出力される画像は、上記撮影画像、および／または上記編集処理によって作成された編集画像であることを特徴とする請求項１に記載の写真プリントシステム。
【発明の詳細な説明】
【０００１】
【発明の属する技術分野】
本発明は、被写体を撮影するとともに、該撮影により取得された画像に基づき、所望の場合には該画像に編集処理を施した上で、シール紙などのプリント紙にプリント出力する写真プリントシステムに関するものである。
【０００２】
【従来の技術】
従来、例えばゲームセンターなどの娯楽施設において、利用者の撮影を行うとともに、その撮影によって取得された撮影画像に対して、背景画像などと合成した上でシールプリントとして出力する写真シール自動販売機が設置されており、人気を博している。
【０００３】
一般に、上記写真シール自動販売機は、周囲を遮光カーテンなどで仕切られた撮影空間内で利用者の撮影が行われる。上記撮影空間の一端には、本体装置が配備され、該本体装置には、被写体である利用者を撮影する撮影装置が配備される。また、本体装置には、撮影に必要な量の光を利用者に照射するフラッシュランプなどの照明装置が、撮影装置の付近に配備される。
【０００４】
ところで、写真シール自動販売機は、証明写真自動販売機とは異なり、複数の利用者が撮影空間内の様々な位置に立ち、様々なポーズを取って撮影が行われる。このため、照明装置から利用者までの距離が異なる場合があり、この場合、上記距離の異なる利用者どうしでは、照明装置から照射される光量が異なるため、明るさの異なる撮影結果が得られることになる。
【０００５】
これを回避するため、撮影空間の天井部分に照明装置を配備した写真シール自動販売機が知られており、例えば、実用新案登録第３０８２５４７号公報に開示されている。
【０００６】
図１２は、撮影空間の天井部分に照明装置を配備した従来の写真プリントシステム９０の概略構成を示している。従来の写真プリントシステム９０には、利用者９３ａ・９３ｂを被写体として撮影する撮影装置９２と、利用者９３ａ・９３ｂを照明する照明装置９４とを備える本体装置９１が配備される。また、本体装置９１の撮影装置９２と対向する空間は、外部からの光を遮断する遮光幕９５によって覆われ、これにより撮影空間９６が形成される。
【０００７】
さらに、上記写真プリントシステム９０には、撮影空間９６において照明装置９４からの距離が遠い領域に位置する利用者９３ｂに十分な光量を与えるために天井部分に天井照明装置９７が配備されている。これにより、上記距離が遠い領域に位置する利用者９３ｂに照射される光量と、上記距離が近い領域に位置する利用者９３ａに照射される光量が同程度となるので、各利用者９３ａ・９３ｂの明るさが同程度である撮影結果を得ることができる。
【０００８】
【特許文献１】
実用新案登録第３０８２５４７号公報（発行日２００１年１２月１４日）
【０００９】
【発明が解決しようとする課題】
撮影空間の様々な場所に位置する利用者に均一な光を照射するには、点光源や線光源からの光を十分拡散させる必要がある。このため、照明装置９４・９７は、光源の他に反射板や拡散板などを配備する必要がある。特に、天井照明装置９７の場合、利用者までの距離が近いため、利用者に一様な光量を照射するには、天井照明装置に利用される光源、反射板、拡散板などの構成の寸法を大きくする必要があるため機械構造が大きくなる。
【００１０】
このような照明装置を天井部分に配備することは、天井のスペースを増大したり、天井照明装置９７を支持する支持部材９８を配備したりする必要があり、写真プリントシステム９０が大型化することになる。また、天井部分に大きな重量物を配備するため、写真プリントシステム９０を組み立てる時に労力の負担が大きくなる。
【００１１】
本発明は上記の問題点を解決するためになされたもので、その目的は、天井の照明装置の代わりとなる照明装置を簡便な構成で備える写真プリントシステムを提供することにある。
【００１２】
【課題を解決するための手段】
上記の課題を解決するために、本発明の写真プリントシステムは、被写体の撮影を行う撮影手段と、該撮影を行う空間である撮影空間内を照明する照明手段と、上記撮影に基づいて画像を作成してプリント紙に出力する画像出力手段とを備える写真プリントシステムにおいて、上記撮影手段および上記照明手段が配備される本体装置を備えており、該本体装置は、上記撮影空間において上記照明手段からの距離が近い領域への光の拡散を抑え、かつ上記距離が遠い領域への光の照射を行う遠方照射手段を備えることを特徴としている。
【００１３】
ここで、或る方向への光の拡散を抑える手段としては、ルーバーと、光を集束させる凸レンズおよび凹面鏡とが挙げられる。
【００１４】
上記の構成によると、遠方照射手段は、従来の天井照明装置９７と同様に、照明手段からの距離が遠い領域の撮影空間を照射する一方で、天井照明装置９７と異なり、照明手段と同じ本体装置に配備されている。
【００１５】
これにより、遠方照射手段は、天井照明装置９７に比べて、被写体までの距離を長くすることができるから、被写体に一様な光量を照射するために利用される光源、反射板、拡散板などの構成の寸法を小さくすることができ、機械構造を小さくすることができる。また、遠方照射手段は、照明手段と同様に本体装置に支持されるから、天井照明装置９７を支持する支持部材が不要となる。
【００１６】
したがって、写真プリントシステムの構成を簡略化することができるとともに、写真プリントシステムの大型化を防止することができる。また、写真プリントシステムの組立てを簡略化することができる。
【００１７】
また、照明手段からの距離が近い領域の撮影空間へ、遠方照射手段からの照射光が拡散することを抑えている。これにより、上記距離が近い領域の撮影空間に位置する被写体に、照明手段からの光だけでなく遠方照射手段からの光が照射されることによる被写体への照射量の増大を防止することができる。したがって、上記距離が近い領域の撮影空間に位置する被写体と、上記距離が遠い領域の撮影空間に位置する被写体とにバランスよく照射することができ、良好な撮影を行うことができる。
【００１８】
さらに、本発明の写真プリントシステムは、上記の構成において、上記本体装置の上記照明手段および上記遠方照射手段は、同じ光源を利用していることを特徴としている。
【００１９】
上記の構成によると、上記照明手段および上記遠方照射手段の光源を共通とすることができるから、本体装置の構成要素を減少することができ、本体装置の寸法およびコストを減少することができる。
【００２０】
さらに、本発明の写真プリントシステムは、上記の構成において、上記遠方照射手段は、照射方向および拡散の程度の一方または両方を調整する指向性調整手段を備えることを特徴としている。
【００２１】
上記の構成によると、遠方照射手段からの光の照射方向を調整することにより、遠方の被写体に最適な照射を行うことができる。また、遠方照射手段からの光の拡散の程度を調整することにより、遠方の被写体の照射量と付近の被写体の照射量との比率を変化させることができる。これにより、遠近で明るさを多彩に変化させることができ、多彩な撮影を行うことができる。
【００２２】
なお、指向性調整手段による調整は、利用者が手動で行うこともできるし、駆動手段を設けて、システム側が自動的に行うこともできる。
【００２３】
ところで、被写体である利用者は、撮影空間の前後方向や左右方向への移動は容易であるが、上方向への移動は困難である。したがって、上記遠方照射手段は、上記本体装置の上部に設けられており、上記指向性調整手段は、上下方向の光の拡散を抑えるものであることが望ましい。これにより、遠方照射手段からの光は、利用者によって遮断されることなく、遠方の撮影空間に照射されることができる。
【００２４】
さらに、本発明の写真プリントシステムは、上記の構成において、上記撮影によって作成された撮影画像に対して、利用者による編集処理が行なわれる画像編集手段をさらに備えており、上記プリント紙に出力される画像は、上記撮影画像、および／または上記編集処理によって作成された編集画像であることを特徴としている。
【００２５】
上記の構成によると、利用者は、撮影画像に対して、背景合成、落書きなどの編集処理を行い、編集処理によって作成された編集画像をプリント紙に出力することができるから、画像出力されたプリント紙の娯楽性を高めることができる。
【００２６】
【発明の実施の形態】
本発明の一実施形態について図１〜図７に基づいて説明すれば、以下のとおりである。図１は、本実施形態である写真プリントシステムのうち、特に本発明に関係する構成の概要を示している。
【００２７】
上記写真プリントシステム１０には、利用者１３ａ・１３ｂを被写体として撮影する撮影装置（撮影手段）１２と、利用者１３ａ・１３ｂを照明する照明装置（照明手段）１４とを備える本体装置１１が配備される。また、本体装置１１の撮影装置１２と対向する空間は、外部からの光を遮断する遮光幕１５によって覆われ、これにより撮影空間１６が形成される。なお、以下では、本体装置１１が配備される側を「前側」とし、撮影空間１６が形成される側を「後側」とする。
【００２８】
本実施形態では、本体装置１１の上部に、照明装置１４からの距離が遠い、すなわち後方の撮影空間１６を照明する指向性照明装置（遠方照射手段）１７が配備される。指向性照明装置１７は、上下方向の拡散を抑えて、後方下向きに光を照射することにより、後方の撮影空間１６を照明している。
【００２９】
上記の構成によると、指向性照明装置１７は、図１２に示される従来の天井照明装置９７と同様に、後方の撮影空間１６を照射する一方で、天井照明装置９７と異なり、照明装置１４と同じ本体装置１１に配備されている。
【００３０】
これにより、指向性照明装置１７は、天井照明装置９７に比べて、後方の利用者１３ｂまでの距離を長くすることができるから、利用者１３ｂに一様な光量を照射するために利用される光源、反射板、拡散板などの構成の寸法を小さくすることができ、機械構造を小さくすることができる。また、指向性照明装置１７は、照明装置１４と同様に本体装置１１に支持されるから、天井照明装置９７を支持する支持部材が不要となる。
【００３１】
したがって、写真プリントシステム１０の構成を簡略化することができるとともに、写真プリントシステム１０の大型化を防止することができる。また、写真プリントシステム１０の組立てを簡略化することができる。
【００３２】
また、指向性照明装置１７は、照明装置１４からの距離が近い領域、すなわち前方の撮影空間１６へ照射光が拡散することを抑えている。これにより、前方の撮影空間１６に位置する利用者１３ａに、照明装置１４からの光だけでなく指向性照明装置１７からの光が照射されることによる利用者１３ａへの照射量の増大を防止することができる。したがって、前方の撮影空間１６に位置する利用者１３ａと、後方の撮影空間１６に位置する利用者１３ｂとにバランスよく照射することができ、良好な撮影を行うことができる。
【００３３】
図２（ａ）〜（ｄ）は、指向性照明装置１７の構成例を示している。図２（ａ）に示される指向性照明装置１７では、導光路となる横長のダクト２０が配備される。ダクト２０の内面は、光を反射または拡散反射する反射面となっている。
【００３４】
ダクト２０の前端には、蛍光灯やフラッシュランプなどの光源２１が配備され、ダクト２０の後端には、光の上下方向の拡散を抑えるルーバー２２が配備され、ダクト２０の中央部には、光源２１からの光を拡散透過させる拡散透過板２３が配備される。
【００３５】
上記の構成によると、光源２１にて照射された光が、拡散透過板２３を拡散透過し、ルーバー２２を通過して撮影空間に照射される。このとき、ルーバー２２を通過する光は、上下方向の拡散が抑えられるとともに、ルーバー２２に沿う方向に照射される。
【００３６】
なお、ルーバー２２は、撮影空間後方の利用者１３ｂに所望の光量を照射できるように、手動または自動で角度を調整可能であることが望ましい。
【００３７】
図２（ｂ）に示される指向性照明装置１７は、同図（ａ）に示される指向性照明装置１７に比べて、ダクト２０の前部が下方となるように屈曲しており、屈曲している部分の内面が、光を拡散反射する拡散反射面２４に形成されている点が異なり、その他の構成は同様である。
【００３８】
上記の構成によると、ダクト２０を屈曲させることにより、ダクト２０の前後方向の長さを短くすることができる。したがって、本体装置１１に指向性照明装置１７を収容するために、本体装置１１を前後方向に長くすることを防止できる。
【００３９】
図２（ｃ）に示される指向性照明装置１７は、同図（ｂ）に示される指向性照明装置１７に比べて、光源２１が後斜め方向を向いている点と、ダクト２０の下部において、前部の内面が拡散反射面２４に形成され、後部が開口して半透明板２５が配備されている点が異なり、その他の構成は同様である。
【００４０】
上記の構成によると、光源２１から出射された光は、図２（ｂ）と同様に、拡散反射面２４にて拡散反射して、ルーバー２２を通過することにより、上下方向の拡散が抑えられた拡散光を後方やや下向きに照射している。さらに、光源２１から出射された光は、同図（ｂ）とは異なり、拡散反射面２４にて拡散反射して、半透明板２５を通過することにより、本体装置１１の背面中央から拡散光が撮影空間に照射している。
【００４１】
したがって、図２（ｃ）に示される指向性照明装置１７では、撮影空間に通常の拡散光を照射する光源と、上下方向への拡散を抑えた拡散光を照射する光源とを共通とすることができ、部品点数の減少および本体装置１１の小型化を実現することができる。
【００４２】
また、上述のように、ルーバー２２の角度が調整可能である場合には、半透明板２５から照射される通常の拡散光と、ルーバー２２から照射される指向性の拡散光との配分を調整することができる。これにより、撮影空間における前方の照射量と後方の照射量との比率を調整することができる。
【００４３】
指向性照明装置１７のその他の構成例としては、図２（ｄ）に示されるように、円柱状の光源２１と、内面が放物面である凹面反射鏡２６とを組み合わせた構成が挙げられる。光源２１からの光は、凹面反射鏡２６にて反射することにより上下方向に拡散する光を収束させることができる。
【００４４】
また、上下方向への拡散を抑える手段としては、図２（ａ）〜（ｃ）に示されるルーバー２２の代わりに、シリンドリカルレンズを使用することもできる。このように、指向性照明装置１７としては、上下方向への拡散を抑えた拡散光を照射できる任意の構成を使用することができる。
【００４５】
次に、写真プリントシステム１０の詳細な構成について、図３〜図７に基づいて説明する。なお、以下では、指向性照明装置１７として、図２（ｃ）に示される指向性照明装置１７を使用している。
【００４６】
図３は本体装置１１の外観を示している。また、図４および図５は、写真プリントシステム１０の内部構成を示しており、特に本体装置１１の内部構成を示している。また、図６は、本体装置１１の内部に配備される制御装置を中心とした写真プリントシステム１０の構成を示している。
【００４７】
図３〜図５に示されるように、本体装置１１の背面には、上述の撮影装置１２、ルーバー２２、および半透明板２５・２５の他に、撮影用表示装置３０、拡散透過板３１・３１・３２・３２、コイン投入口３３、コイン返却口３４、タッチパネル３５、タッチペン３６・３６、プリント排出口３７、およびスピーカ３８・３８が配備される。
【００４８】
また、本体装置１１の内部には、図４および図５に示されるように、制御装置４０およびプリント出力装置４１が配備される。その他、図６に示されているコイン処理装置４２、プリント紙４６、およびＩＤタグ４７も本体装置１１の内部に配備される。以下、本体装置１１の各構成について説明する。
【００４９】
撮影装置１２は、主に利用者１３を被写体として写真撮影を行う装置であり、本体装置１１の背面中央部に配備される。撮影装置１５は、被写体を撮影する撮影カメラを備える。撮影カメラは、例えばレンズ群、絞り、ＣＣＤ撮像素子などを備えたデジタルカメラによって構成される。この撮影カメラ２４は、全身撮影とクローズアップ撮影との両方に対応できるように、例えば使用するレンズ群および絞りを切り換えられるような構成となっている。
【００５０】
撮影装置１２の下方には撮影用表示装置３０が配備される。撮影用表示装置３０には、撮影装置１２から取得されるライブビュー画像、撮影における指示画像など各種画像が表示される。
【００５１】
撮影装置１２および撮影用表示装置３０の両側には、上記の半透明板２５・２５が配備され、撮影装置１２および半透明板２５・２５の上方には、上記のルーバー２２が配備される。
【００５２】
本体装置１１内において、撮影装置１２および撮影用表示装置３０の周囲は、光源２１からの光を遮断する遮光板３９で覆われている。また、本体装置１１内の上部は、その周囲の内面が拡散反射面２４に形成されている。これにより、本体装置１１内の上部では、光源２１からの光が拡散反射されることになる。
【００５３】
本実施形態では、光源２１として、撮影時に写真閃光灯として機能する線状のフラッシュランプ２１ａが２つ使用され、本体装置１１内の上部空間の適所に横方向に並べて配置される。フラッシュランプ２１ａからの光は、その周囲に設けられた反射板により、前方上向きに導かれる。
【００５４】
フラッシュランプ２１ａからの光は、拡散反射面２４にて拡散および反射を繰返しながら、半透明板２５・２５またはルーバー２２に入射する。半透明板２５・２５に入射した光は、一部が透過して撮影空間に拡散光として照射され、一部が反射して本体装置１１内の上部空間にて再び拡散および反射を繰り返す。
【００５５】
一方、ルーバー２２に入射した光は、ルーバー２２により上下方向の拡散が抑えられとともに、ルーバー２２に沿う方向、すなわち後方下向きを照射方向として撮影空間に照射される。
【００５６】
再び、本体装置１１の構成の説明に戻ると、半透明板２５・２５の両側には拡散透過板３１・３１が配備され、ルーバー２２の両側には拡散透過板３２・３２が配備されている。なお、図には示していないが、本体装置１１内において、拡散透過板３１・３１の前方には蛍光灯が、拡散透過板３２・３２の前方には白熱灯がそれぞれ光源として配備される。
【００５７】
これらの蛍光灯、白熱灯、および拡散透過板３１・３２によって構成される照明装置は、撮影空間１６内の常時照明として機能する。さらに、前記照明装置は、半透明板２５からの閃光を、拡散透過板３１からの光で模し、ルーバー２２からの閃光を拡散透過板３２からの光で模すことにより、撮影時にフラッシュランプ２１ａからの閃光によってどのように撮影されるかを、撮影前に撮影用表示装置３０に表示されるライブビュー画像にて模擬的に確認することができる。
【００５８】
本体装置１１の下部は、後方に突出しており、その段部は、後方下向きに傾斜している。該段部の中央には、タッチパネル３５が配備されている。タッチパネル３５は、例えばＬＣＤ（Ｌｉｑｕｉｄ　Ｃｒｙｓｔａｌ　Ｄｉｓｐｌａｙ）などのフラットパネルディスプレイやＣＲＴ（Ｃａｔｈｏｄｅ　Ｒａｙ　Ｔｕｂｅ）などの表示面にタッチセンサを設けて構成される。タッチパネル３５は、各種のメッセージや画像などを表示するとともに、利用者１３から各種の指示や選択などが入力される。
【００５９】
タッチペン３６・３６は、タッチパネル３５の近くに配備される。タッチペン３６は、画像編集処理などにおいて、タッチパネル３５上で細かな操作入力を利用者１３が行うためのものである。利用者１３は、このタッチペン３６・３６をタッチパネル３５に接触または接近させることによって、処理の進行に応じて表示されるボタンを選択したり、落書きなどの画像描画を行ったりすることができる。
【００６０】
なお、本実施形態では、複数の利用者１３が容易に画像編集を行うようにするために、タッチペン３６・３６を２本配備しているが、構成の簡略化のために、１本のみを配備することもできるし、３人以上の利用者１３のために、３本以上を配備することもできる。同様に、タッチパネル３５を複数個配備することもできる。
【００６１】
コイン投入口３３は、利用者が写真プリントシステム１０の利用料金として所定のコインを所定枚数だけ投入するための投入口であり、本体装置１１の背面の適所に配備される。このコイン投入口３３に連通して、コイン処理装置４２が本体装置１１の内部に設けられている。
【００６２】
コイン処理装置４２は、所定のコインが投入されたか否かを判定する。所定のコインが投入されたと判定した場合には、制御装置４０に通知し、投入されたコインを、コインを蓄積するコイン容器（図示せず）に送り出す。一方、所定のコイン以外のコインが投入されたと判定した場合には、投入されたコインをコイン返却口３４に送り出す。
【００６３】
なお、紙幣やコインを所定のコインに両替する両替機が写真プリントシステム１０の近くに存在しない場合には、新たに紙幣投入口を設けて、紙幣処理装置を設けたり、釣銭処理装置を設けたりすることが望ましい。
【００６４】
スピーカ３８・３８は、各種操作上のガイダンス音声や効果音などを出力するものであり、本体装置１１の背面の適所に配備される。
【００６５】
プリント出力装置４１は、画像をプリント出力するものであり、本体装置１１の内部に配備される。なお、プリント出力装置４１の構成については後述する。プリント排出口３７は、プリント出力装置４１から出力された写真プリントを本体装置１１の外部に排出するためのものである。プリント排出口３７は、本体装置１１の背面の適所に配備される。
【００６６】
制御装置４０は、写真プリントシステム１０における各種構成を統括的に制御するものであり、本体装置１１の内部に配備される。この制御装置４０は、例えばＰＣベースのコンピュータによって構成される。そして、各種構成の動作制御は、制御プログラムをコンピュータに実行させることによって行なわれる。このプログラムは、例えばＣＤ−ＲＯＭなどのリムーバブルメディアに記録されているものを読み出して使用する形態であってもよいし、ハードディスクなどにインストールされたものを読み出して使用する形態であってもよい。また、この制御装置４０がインターネットなどの通信ネットワークに接続された構成とする場合、この通信ネットワークを介して上記プログラムをダウンロードしてハードディスクなどにインストールして実行する形態なども考えられる。
【００６７】
制御装置４０は、上記したハードディスクなどの不揮発性の記憶装置によって構成される記憶部４３を備える。この記憶部４３に記憶される内容としては、上記した制御プログラム、ＯＳ（Ｏｐｅｒａｔｉｎｇ　Ｓｙｓｔｅｍ）プログラム、その他の各種プログラム、撮影装置１２における動作設定値、撮影した画像および編集した画像の画像データなどが挙げられる。上記の撮影装置１２における動作設定値としては、装置出荷時やメンテナンス時などに設定されるホワイトバランスの値、撮影画像の明暗などを調整する際の画像処理に関する各種パラメータ値などが挙げられる。
【００６８】
コイン処理装置４２は、前述のように、コイン投入口３３から所定のコインが投入されたと判定すると、制御装置４０に通知するものである。制御装置４０は、コイン処理装置４２からの通知を受け取ると、課金処理を行う。すなわち、制御装置４０は、コイン処理装置４２からの通知をカウントし、利用者が投入した金額に応じて、利用者に対する各種動作を制御する。
【００６９】
プリント出力装置４１は、プリンタ４４およびＩＤタグリーダ／ライタ４５を備える構成である。このプリント出力装置４１に対して、写真プリントの出力媒体となるプリント紙４６およびＩＤタグ（識別媒体）４７がプリント紙ユニットとしてセットで納入されるようになっている。
【００７０】
プリンタ４４は、出力すべき画像データが制御装置４０から送られてくると、その画像データに基づいてプリント紙４６に印刷するものである。このプリンタ４４としては、例えば昇華型プリンタが用いられる。なお、昇華型プリンタを用いる場合には、プリント紙４６およびＩＤタグ４７に加えて、昇華型用インクフィルムがセットととなって納入されることになる。
【００７１】
ＩＤタグリーダ／ライタ４５は、ＩＤタグ４７に記録されている各種識別情報を読み出して制御装置４０に出力する。ＩＤタグ４７は、メモリ機能を有するＩＣチップなどによって構成されるものである。上記識別情報としては、固有ＩＤ、用紙枚数、用紙種類、および、インク固有の色情報（インクフィルムがセットとなっている場合）などが挙げられる。
【００７２】
制御装置４０は、ＩＤタグリーダ／ライタ４５で読み取った識別情報に基づいて、装着されたプリント紙４６およびインクフィルムが、当該写真プリントシステム１０において利用可能なものであるかを判定し、利用可能である場合にのみプリンタ４４を動作可能とする。すなわち、写真プリントシステム１０において指定されているプリント紙４６およびインクフィルム以外は使用できないように設定されていることになる。
【００７３】
また、ＩＤタグ４７に記録されている用紙枚数情報に基づいて、プリント紙の使用ごとに用紙枚数をカウントダウンしていくことによって、残りの用紙枚数を把握することが可能となる。よって、残りの用紙枚数が少なくなってきた際に、これを表示手段などによって警告するような構成としておけば、利用者１３の利用中に用紙切れを起こすというような不具合を回避することが可能となる。
【００７４】
なお、用紙枚数をカウントダウンする際には、ＩＤタグ４７に記録されている用紙枚数情報も書き換えることが望ましい。これにより、用紙を使い切った場合には、ＩＤタグ４７に記録されている用紙枚数情報も０となり、このＩＤタグ４７を無効にすることが可能となる。
【００７５】
また、ＩＤタグ４７に記録されている用紙種類情報や、インク固有の色情報を読み出すことによって、これらを考慮して画像データの色成分などを補正することにより、そのプリント紙４６やインクフィルムに的確な画像出力を行うことが可能となる。
【００７６】
ＩＤタグ４７としては、無線（ワイヤレス）によりデータ通信を行うことが可能な非接触型ＩＤタグと、端子が設けられた接触型ＩＤタグとがあり、ＩＤタグリーダ／ライタ４５としては、これらの何れか一方あるいは両方に対応したものとなる。
【００７７】
なお、上記の例では、利用可能なプリント紙４６であるか否かを確認するために、ＩＤタグ４７を利用しているが、これに限定されるものではなく、例えば、プリント紙４６およびインクフィルムを梱包する梱包材などにプリントされているバーコードなどを利用する構成としてもよい。しかしながら、バーコードを用いる場合には、含めることのできる情報量が少ないことや、例えば用紙枚数のカウントダウンによる情報の書き換えができない、などの問題がある。
【００７８】
なお、上記のプリント紙４６としては、通常の紙状媒体である紙状シートであってもよいし、粘着シートおよび該粘着シールの粘着面に貼り付けられている剥離シートからなるシールシートであってもよい。
【００７９】
なお、本実施形態では、光源２１としてフラッシュランプを使用しているが、蛍光灯などのような連続光を発する光源を使用することもできる。また、フラッシュランプ２１ａの近傍に蛍光灯などを補助光源として設けることもできる。連続光の光源や補助光源を使用することにより、撮影前のライブビュー画像から撮影時の写りを推測することができる。
【００８０】
上記構成の写真プリントシステム１０において、利用者１３による撮影から編集、印刷に至るプレイ動作について、図７に基づいて説明する。利用者が写真プリントシステム１０内に進入して（ステップＳ１。以下、単に「Ｓ１」と記載することがある。他のステップについても同様である。）、コイン投入口３３から代金としてコインを投入すると、コイン処理装置４２から制御装置４０にコインの投入が通知されることにより課金処理が行なわれる（Ｓ２）。課金処理が正常に完了したことが確認されると、プレイ動作が開始され、以下の処理が行なわれる。
【００８１】
まず、撮影処理が行われる（Ｓ３）。撮影処理は主に以下のように行われる。まず、撮影枚数、撮影時間、全身撮影またはアップ撮影の選択、撮影アングルの選択など、撮影に関する各種の設定が行われる。
【００８２】
次に、撮影装置１２の撮影カメラが撮影するライブビュー画像を撮影用表示装置３０に表示する。利用者１３は、前記ライブビュー画像を参照しつつ所望のポーズをとり、所望のタイミングでタッチパネル３５に表示された撮影ボタンを押すと、カウントダウン後に撮影が実行される。そして、再び撮影を行う場合には、ステップＳ３に戻って上記の撮影処理を繰返し、撮影を終了する場合には、次の編集処理に進む（Ｓ４）。
【００８３】
次に、撮影処理によって取得された撮影画像に対して画像の編集処理を行う（Ｓ５）。編集処理は、主に以下のように行われる。まず、複数回の撮影により取得された複数の撮影画像をタッチパネル３５に表示し、これら複数の撮影画像の中から落書きなどの編集処理を行う撮影画像の選択を行う。これにより、撮影時に目をつぶってしまったり、不本意な状態で撮影されたりした撮影画像などを排除して、利用者の好みにあった画像を選択することができる。
【００８４】
次に、選択された撮影画像をタッチパネル３５に表示し、タッチペン３６・３６を用いて、撮影画像に対して、背景画像の合成、色の変更、落書きなどの画像編集を行う。そして、別の撮影画像に対して画像編集を行う場合には、上記の編集処理（Ｓ５）を繰返し、画像編集を終了する場合には、次の処理に進む（Ｓ６）。
【００８５】
次に、写真プリントの出力処理を行う（Ｓ７）。出力処理は、主に以下のように行われるる。まず、プリント紙４６上での分割数または分割パターンを利用者に選択させ、選択された分割領域ごとに、ステップＳ５にて編集処理された編集画像が印刷されるように、プリンタ４４を制御して印刷を行う。その後、プリント排出口３７から印刷された写真プリントが排出されて、利用者のプレイ動作が終了する。
【００８６】
なお、本発明は上記の実施形態に限定されるものではなく、請求項に示した範囲で種々の変更が可能である。
【００８７】
例えば、撮影空間１６の後部には、被写体の背景となる公知の背景装置を適宜設けることが望ましい。
【００８８】
また、上記実施形態では、２個のフラッシュランプ２１ａ・２１ａを使用しているが、横方向に均等な光を照射するために、横長の光源２１を少数個使用することが望ましいから、さらに横長のフラッシュランプを１個使用することもできる。
【００８９】
【発明の効果】
以上のように、本発明の写真プリントシステムは、上記撮影手段および上記照明手段が配備される本体装置を備えており、該本体装置は、上記撮影空間において上記照明手段からの距離が近い領域への光の拡散を抑え、かつ上記距離が遠い領域への光の照射を行う遠方照射手段を備える構成である。
【００９０】
これにより、遠方照射手段の機械構造を従来の天井照明装置に比べて小さくできるから、写真プリントシステムの構成を簡略化できるとともに、写真プリントシステムの大型化を防止できるという効果を奏する。また、写真プリントシステムの組立てを簡略化できるという効果を奏する。
【００９１】
また、遠方照射手段は、その照射光が前方の撮影空間へ拡散することを抑えているから、前方の撮影空間に位置する被写体と、後方の撮影空間に位置する被写体とにバランスよく照射することができ、良好な撮影を行うことができるという効果を奏する。
【００９２】
さらに、本発明の写真プリントシステムは、以上のように、上記の構成において、上記本体装置の上記照明手段および上記遠方照射手段は、同じ光源を利用している構成である。
【００９３】
これにより、上記照明手段および上記遠方照射手段の光源を共通化できるから、本体装置の構成要素を減少でき、本体装置の寸法およびコストを減少できるという効果を奏する。
【００９４】
さらに、本発明の写真プリントシステムは、以上のように、上記の構成において、上記遠方照射手段は、照射方向および拡散の程度の一方または両方を調整する指向性調整手段を備える構成である。
【００９５】
これにより、遠方照射手段からの光の照射方向を調整する場合には、遠方の被写体に最適な照射を行うことができるという効果を奏し、遠方照射手段からの光の拡散の程度を調整する場合には、遠近で明るさを多彩に変化させることができ、多彩な撮影を行うことができるという効果を奏する。
【００９６】
なお、上記遠方照射手段は、上記本体装置の上部に設けられており、上記指向性調整手段は、上下方向の光の拡散を抑えるものであることが望ましい。この場合、遠方照射手段からの光は、利用者によって遮断されることなく、遠方の撮影空間に照射されることができるという効果を奏する。
【００９７】
さらに、本発明の写真プリントシステムは、以上のように、上記の構成において、上記撮影によって作成された撮影画像に対して、利用者による編集処理が行なわれる画像編集手段をさらに備えており、上記プリント紙に出力される画像は、上記撮影画像、および／または上記編集処理によって作成された編集画像である構成である。
【００９８】
これにより、利用者は、撮影画像に対して編集処理を行い、編集処理によって作成された編集画像をプリント紙に出力することができるから、画像出力されたプリント紙の娯楽性を高めることができるという効果を奏する。
【図面の簡単な説明】
【図１】本発明の一実施形態である写真プリントシステムにおいて、本発明に関係する構成の概要を示す側面図である。
【図２】同図（ａ）〜（ｄ）は、上記写真プリントシステムにおいて使用される指向性照明装置の構成例を示しており、同図（ａ）〜（ｃ）は断面図であり、同図（ｄ）は一部を切り欠いて示す斜視図である。
【図３】上記写真プリントシステムにおける本体装置の外観を示す斜視図である。
【図４】上記写真プリントシステムの内部構成を示す側面図であり、特に上記本体装置の内部構成を示している。
【図５】上記写真プリントシステムの内部構成を示す平面図であり、特に上記本体装置の内部構成を示している。
【図６】上記写真プリントシステムの概略構成を示すブロック図である。
【図７】上記写真プリントシステムにおける処理の流れを示すフローチャートである。
【図８】従来の写真プリントシステムの概略構成を示す側面図である。
【符号の説明】
１０　　写真プリントシステム
１１　　本体装置
１２　　撮影装置（撮影手段）
１６　　撮影空間
２１　　光源
２２　　ルーバー（遠方照射手段、指向性調整手段）
２５　　半透明板（照明手段）
３５　　タッチパネル（画像編集手段）
３６　　タッチペン（画像編集手段）
４１　　プリント出力装置（画像出力手段）
４４　　プリンタ（画像出力手段）
【図１】
2004126235.tif 000003
【図２】
2004126235.tif 000004
【図３】
2004126235.tif 000005
【図４】
2004126235.tif 000006
【図５】
2004126235.tif 000007
【図６】
2004126235.tif 000008
【図７】
2004126235.tif 000009
【図８】
2004126235.tif 000010